(57)【要約】【課題】天井裏の排気ファンやダクトの音による近隣への騒音の問題を生じることなく、また、大がかりな装置が必要でない、特に木造や鉄骨造２階建てアパートのような規模の小さい共同住宅に好適である共同住宅用換気システムを提供する。【解決手段】共同住宅用換気システムは、相当隙間面積が７ｃｍ２／ｍ２以下である共同住宅の各戸１に設けられている。共同住宅用換気システムは、対向関係又は交差関係にある居室３，７の外壁Ｗ及び家事室２の外壁Ｗを備え、居室３，７の外壁Ｗには給気口１２が設けられている一方、家事室２の外壁Ｗには排気用換気扇１１が設けられ、居室３，７と家事室２との間を通気可能とする開口部がさらに設けられている。【選択図】図１
2004360981.tif 000002
【特許請求の範囲】
【請求項１】
相当隙間面積が７ｃｍ２／ｍ２以下である共同住宅の各戸に設けられた共同住宅用換気システムであって、
対向関係又は交差関係にある居室の外壁及び家事室の外壁を備え、
上記居室の外壁には給気口が設けられている一方、上記家事室の外壁には排気用換気扇が設けられ、
上記居室と上記家事室との間を通気可能とする開口部がさらに設けられている、共同住宅用換気システム。
【請求項２】
相当隙間面積が７ｃｍ２／ｍ２超える共同住宅の各戸に設けられた共同住宅用換気システムであって、
対向関係又は交差関係にある居室の外壁及び家事室の外壁を備え、
上記居室の外壁には給気用換気扇が設けられている一方、上記家事室の外壁には排気風量が該給気用換気扇の給気風量と略同一となるように排気用換気扇が設けられ、
上記居室と上記家事室との間を通気可能とする開口部がさらに設けられている、共同住宅用換気システム。
【請求項３】
請求項１又は２に記載された共同住宅用換気システムにおいて、
上記共同住宅の各戸は、住居専有面積が６０ｍ２以下であり、
上記給気用換気扇は、排気風量が１時間当たり３０〜８０ｍ３であり、且つ、設置台数が１台である、共同住宅用換気システム。
【請求項４】
請求項１又は２に記載された共同住宅用換気システムにおいて、
上記開口部が室内建具により構成されている、共同住宅用換気システム。
【請求項５】
請求項１又は２に記載された共同住宅用換気システムにおいて、
トイレ、洗面所及びキッチンのいずれの局所換気扇も上記排気用換気扇とは独立して運転される、共同住宅用換気システム。
【発明の詳細な説明】
【０００１】
【発明の属する技術分野】
本発明は、外気を屋内に取り入れる給気及び屋内の空気を外部へ排出する排気によって、共同住宅の室内空気を清浄に保つ為の共同住宅用換気システムに関する。
【０００２】
【従来の技術】
シックハウス対策として、全ての居室に換気回数０．５回／時以上の常時換気設備が必要となり、この対応として、室内の空気を正常に保つ為の２４時間住宅換気システムの導入が行われている。
【０００３】
特許文献１や２には、高気密高断熱住宅を対象にした戸建や分譲マンションにおけるシステムとして、天井裏に排気ファンや熱交換型給排気ファンを設け、各居室に通じるダクトを配して常時換気を行ったり、トイレ用換気扇やレンジフードを排気用換気扇として常時使用することが開示されている。また、特許文献３には、玄関サッシに排気用換気扇、及び、窓サッシに自然給気口をそれぞれ設けて換気を行う方法が開示されている。
【０００４】
【特許文献１】
特許第２９４４３９５号公報
【特許文献２】
特許第３０５９６８２号公報
【特許文献３】
特開平３−１９９８４１号
【０００５】
【発明が解決しようとする課題】
ところが、上記住宅換気システムは、戸建や分譲マンション等に対応するものであるので、共同住宅、特に木造や鉄骨造２階建てアパートのような規模の小さい共同住宅の場合に適用された場合には種々の問題を生じる。
【０００６】
例えば、天井裏に排気ファンや熱交換型給排気ファンを設け、各居室に通じるダクトを配して常時換気する場合、天井裏の排気ファンやダクトの音が隣室や階下、階上に聞こえ、夜中の運転音は騒音として問題となる。
【０００７】
また、トイレ用換気扇やレンジフードを排気用換気扇として常時使用した場合、風量を目的別に切り替える必要があり、間取り（トイレや洗面所、キッチンの位置）によってダクト長さが長くなって装置が大がかりになったりすると、複雑な設計を要すると共に価格が高い、という問題がある。加えて、レンジフードは壁に固定されていないので、ガタツキ等による騒音が大きい、という問題がある。
【０００８】
さらに、玄関サッシに排気用換気扇、及び、窓サッシに自然給気口をそれぞれ設けた場合、サッシの外観が限定される上、排気方向が玄関側に限定されるので、共同住宅において互いの玄関が向かい合っているような場合は不向きであるという問題がある。
【０００９】
本発明は、かかる点に鑑みてなされたものであり、その目的とするところは、天井裏の排気ファンやダクトの音による近隣への騒音の問題を生じることなく、また、大がかりな装置が必要でない、特に木造や鉄骨造２階建てアパートのような規模の小さい共同住宅に好適である共同住宅用換気システムを提供することである。
【００１０】
【課題を解決するための手段】
請求項１に係る発明は、相当隙間面積（Ｃ値：気密性能の指標）が７ｃｍ２／ｍ２以下である共同住宅の各戸に設けられた共同住宅用換気システムであって、
対向関係又は交差関係にある居室の外壁及び家事室の外壁を備え、
上記居室の外壁には給気口が設けられている一方、上記家事室の外壁には排気用換気扇が設けられ、
上記居室と上記家事室との間を通気可能とする開口部がさらに設けられている。
【００１１】
上記の構成によれば、各戸毎に、家事室の外壁に設けられた排気用換気扇によって屋内の空気が屋外に排出される。一方、空気が排出されて減圧される家事室には開口部を介して居室の空気が流入し、居室には外壁に設けられた給気口から屋外の新気が取り入れられる。従って、天井裏に排気ファンやダクトを設けるものではないので、近隣への騒音の問題を生じることがない。また、天井裏にダクト等を設けるのではなく、外壁に設けられた給気口及び排気用換気扇、並びに、屋内に設けられた開口部という簡単な構成であるので、大がかりな装置が必要でなく安価である。
【００１２】
ここで、居室には、和室、寝室、子供室等が含まれる。家事室には、キッチン、ダイニングキッチン（ＤＫ）、リビングダイニングキッチン（ＬＤＫ）が含まれる。
【００１３】
また、請求項１に係る発明では、相当隙間面積が７ｃｍ２／ｍ２以下の共同住宅であり、気密性能が高く、家事室の空気が排出されることによる減圧作用により居室の給気口から自然に新気が取り入れられる。しかしながら、相当隙間面積が７ｃｍ２／ｍ２を超える共同住宅では、気密性能が低く、家事室の空気が排出されることによる減圧作用が隙間から流入する空気により緩和されるので、その場合には、以下の請求項２に係る発明のように、居室に強制的に新気を取り入れる給気用換気扇を居室の外壁に設ければよい。
【００１４】
請求項２に係る発明は、相当隙間面積が７ｃｍ２／ｍ２超える共同住宅の各戸に設けられた共同住宅用換気システムであって、
対向関係又は交差関係にある居室の外壁及び家事室の外壁を備え、
上記居室の外壁には給気用換気扇が設けられている一方、上記家事室の外壁には排気風量が該給気用換気扇の給気風量と略同一となるように排気用換気扇が設けられ、
上記居室と上記家事室との間を通気可能とする開口部がさらに設けられている。
【００１５】
上記の構成によれば、各戸毎に、家事室の外壁に設けられた排気用換気扇によって屋内の空気が屋外に排出される。一方、空気が排出されて減圧される家事室には開口部を介して居室の空気が流入し、居室には外壁に設けられた給気用換気扇によって屋外の新気が強制的に屋内に取り入れられる。従って、天井裏に排気ファンやダクトを設けるものではないので、近隣への騒音の問題を生じることがない。また、天井裏にダクト等を設けるのではなく、外壁に設けられた給気用換気扇及び排気用換気扇、並びに、屋内に設けられた開口部という簡単な構成であるので、大がかりな装置が必要でなく安価である。
【００１６】
以上より、請求項１又は請求項２に係る発明の共同住宅用換気システムは、木造や鉄骨造２階建てアパートのような規模の小さい共同住宅に特に好適である。
【００１７】
請求項３に係る発明は、請求項１又は２に記載された共同住宅用換気システムにおいて、
上記共同住宅の各戸は、住居専有面積が６０ｍ２以下であり、
上記給気用換気扇は、排気風量が１時間当たり３０ｍ３以上８０ｍ３以下であり、且つ、設置台数が１台である。
【００１８】
コスト面や施工面からは、例えば、住居専有面積が６０ｍ２以下の２ＤＫ或いは２ＬＤＫに対し、排気風量が１時間当たり３０ｍ３以上８０ｍ３以下である給気用換気扇を一台設置するのが好ましい。
【００１９】
請求項４に係る発明は、請求項１又は２に記載された共同住宅用換気システムにおいて、上記開口部が室内建具により構成されている。
【００２０】
そのような室内建具としては、例えば、アンダーカットが設けられたドアや、ガラリ付きのドアの他、引き戸、引き違い戸、襖等を挙げることができる。特に、引き戸等は、狭小住宅において開閉の面積をとらないだけでなく、排気用換気扇を運転して家事室が減圧された場合に、その四周の枠材との隙間からまんべんなく通気され、居室に新鮮空気が取り込まれるので、汚れた空気が滞留することが少ない。
【００２１】
請求項５に係る発明は、請求項１又は２に記載された共同住宅用換気システムにおいて、トイレ、洗面所及びキッチンのいずれの局所換気扇も上記排気用換気扇とは独立して運転される。
【００２２】
上記の構成によれば、トイレ、洗面所及びキッチンの局所換気扇が上記排気用換気扇と共用されていないので、風量設計が容易であると共に、換気設計を容易に行うことができる。
【００２３】
【発明の実施の形態】
以下、本発明の実施形態を図面に基づいて詳細に説明する。
【００２４】
（実施形態１）
図１は、実施形態１の共同住宅の一戸（単位住宅１）の間取りを示す。この共同住宅は、気密性能の指標であるＣ値、つまり相当隙間面積が７ｃｍ２／ｍ２以下であり、各戸に本発明の実施形態１に係る共同住宅用２４時間換気システムが設けられたものである。以下、図１において、上側を北として説明する。
【００２５】
この単位住宅１は、全体が南北に長い長方形状である住居専有面積６０ｍ２以下の２ＤＫであり、北西にダイニングキッチン（以下「ＤＫ」という。）（家事室）２、南西に洋室（居室）３、北東に浴室４、トイレ５及び洗面所６、並びに、南東に和室（居室）７がそれぞれ配設されており、また、北側略中央には、ＤＫ２に連続した玄関８が設けられている。
【００２６】
ＤＫ２には、北側にコンロ９及びシンク１０が設けられている。コンロ９の上方には図示しないレンジフードが設けられている。北側外壁Ｗにはシンク１０前に対応して窓Ｏが設けられている。
【００２７】
ＤＫ２に連続した玄関８には、北側外壁Ｗに外開きの玄関ドア８ａが設けられていると共に、その玄関ドア８ａの東側に隣接して排気用換気扇１１が設けられている。この排気用換気扇１１は、排気風量が１時間当たり３０〜８０ｍ３のものであり、２４時間常時運転される。また、この排気用換気扇１１は、レンジフードとは独立して運転される。
【００２８】
洋室３には、南側外壁Ｗに掃き出しの窓Ｏが設けられていると共に、その掃き出し窓Ｏの西側に隣接して給気用レジスタ（給気口）１２が設けられている。洋室３の南側にはベランダ１３が設けられており、掃き出し窓Ｏがベランダ１３への出入り口となっている。
【００２９】
和室７には、南側外壁Ｗに窓Ｏが設けられていると共に、その窓Ｏの西側に隣接して給気用レジスタ（給気口）１２が設けられている。
【００３０】
浴室４、トイレ５及び洗面所６のそれぞれには、使用時に換気を行う図示しない局所換気扇が設けられている。これらの局所換気扇は、排気用換気扇１１とは独立して運転される。
【００３１】
ＤＫ２と洋室３との間仕切りとして、アンダーカット或いはガラリの付いたドア（室内建具）Ｄが設けられている。このドアＤのアンダーカット或いはガラリにより、ＤＫ２と洋室３との間が通気可能となっている。つまり、ドアＤにより開口部が構成されている。
【００３２】
ＤＫ２と和室７との間仕切りとして、片開きの引き戸（室内建具）Ｓが設けられている。この引き戸Ｓの枠材との隙間により、ＤＫ２と和室７との間が通気可能となっている。つまり、引き戸Ｓにより開口部が構成されている。
【００３３】
ＤＫ２と洋室３との間のドアＤ及びＤＫ２と和室７との間の引き戸Ｓは、アンダーカットやガラリ或いは枠材との隙間の有効開口面積（圧力差９．８Ｐａが生じた時に通過する風量）が１００ｍ３／時以上の通気性を有するものであるのがよい。
【００３４】
この単位住宅１において、北側外壁Ｗの排気用換気扇１１、北側外壁Ｗと対向関係にある南側外壁Ｗの給気用レジスタ１２、並びに、ＤＫ２と洋室３との間のドアＤ及びＤＫ２と和室７との間の引き戸Ｓにより、自然給気及び強制排気の第３種換気方式による共同住宅用２４時間換気システムが構成されている。
【００３５】
次に、この共同住宅用２４時間換気システムによる換気について説明する。
【００３６】
この共同住宅用２４時間換気システムでは、ＤＫ２（玄関８）の北側外壁Ｗに設けられた排気用換気扇１１によって屋内の空気が１時間当たり３０〜８０ｍ３の割合で外に排出される。
【００３７】
一方、空気が排出されて減圧されるので、ＤＫ２には、ＤＫ２と洋室３との間のドアＤのアンダーカットやガラリ及びＤＫ２と和室７との間の引き戸Ｓの枠材との隙間を介して洋室３及び和室７の空気が流入する。このとき、それらのドアＤや引き戸Ｓが開いた状態であれば、洋室３或いは和室７の空気がそのままＤＫ２に流入する。
【００３８】
そして、洋室３及び和室７には南側外壁Ｗに設けられた給気用レジスタ１２から屋外の新気が取り入れられる。なお、この共同住宅は、相当隙間面積が７ｃｍ２／ｍ２以下であって、気密性能が高く、そのため、強制的に洋室３及び和室７に給気を行う必要がなく、ＤＫ２の空気が排出されることによる減圧作用により洋室３及び和室７の給気用レジスタ１２から新気が自然に取り入れられる。
【００３９】
以上のように、上記の共同住宅用２４時間換気システムによれば、天井裏に排気ファンやダクトを設けるものではないので、階上、階下、或いは両隣の近隣への騒音の問題を生じることがない。
【００４０】
また、天井裏にダクト等を設けるのではなく、南側外壁Ｗに設けられた給気用レジスタ１２及び北側外壁Ｗに設けられた排気用換気扇１１、並びに、ドアＤ及び引き戸Ｓという簡単な構成であるので、大がかりな装置が必要でなく安価である。
【００４１】
さらに、浴室４、トイレ５、洗面所６の局所換気扇及びレンジフードが排気用換気扇１１と共用されていないので、風量設計が容易であると共に、例えば換気回数０．５回／時となるような換気設計を容易に行うことができる。
【００４２】
また、単位住宅１の住居専有面積が６０ｍ２以下であり、排気風量が１時間当たり３０〜８０ｍ３である排気用換気扇１１が１台だけ設置された構成であるので、コスト面及び施工面において有利である。
【００４３】
（実施形態２）
図２は、実施形態２の共同住宅の一戸（単位住宅１）の間取りを示す。この共同住宅は、気密性能の指標であるＣ値、つまり相当隙間面積が７ｃｍ２／ｍ２を超えており、各戸に本発明の実施形態２に係る共同住宅用２４時間換気システムが設けられたものである。以下、図２において、上側を北として説明する。また、実施形態１と同一名称のものは同一符号で示す。
【００４４】
この単位住宅１は、全体が南北に長い長方形状である住居専有面積６０ｍ２以下の２ＤＫであり、北西にＤＫ（家事室）２、南西に６畳和室（居室）７ａ、北東に浴室４及びトイレ５、並びに、南東に４畳半和室（居室）７ｂがそれぞれ配設されており、また、北側略中央やや東寄りには、外開きの玄関ドア８ａを有する玄関８がＤＫ２に連続して設けられている。
【００４５】
ＤＫ２には、西側にコンロ台９ａ及びシンク１０が設けられている。コンロ台９ａの上方には図示しないレンジフードが設けられている。また、コンロ台９ａに向かって右側となる北側外壁Ｗには、排気用換気扇１１が設けられている。この排気用換気扇１１は、排気風量が１時間当たり３０〜８０ｍ３のものであり、２４時間常時運転される。また、この排気用換気扇１１は、レンジフードとは独立して運転される。
【００４６】
６畳和室７ａには、南側外壁Ｗに給気用換気扇１４が設けられている。この給気用換気扇１４は、給気風量が排気用換気扇１１の排気風量の半分のものであり、２４時間常時運転される。
【００４７】
４畳半和室７ｂには、東側外壁Ｗに給気用換気扇１４が設けられている。この給気用換気扇１４は、給気風量が排気用換気扇１１の排気風量の半分のものであり、２４時間常時運転される。
【００４８】
浴室４及びトイレ５のそれぞれには、使用時に換気を行う図示しない局所換気扇が設けられている。これらの局所換気扇は、排気用換気扇１１とは独立して運転される。
【００４９】
ＤＫ２と６畳和室７ａとの間仕切りとして、襖（室内建具）Ｆが設けられている。この襖Ｆの枠材との隙間により、ＤＫ２と６畳和室７ａとの間が通気可能となっている。つまり、襖Ｆにより開口部が構成されている。
【００５０】
ＤＫ２と４畳半和室７ｂとの間仕切りとして、アンダーカット或いはガラリの付いたドア（室内建具）Ｄが設けられている。このドアＤのアンダーカット或いはガラリにより、ＤＫ２と４畳半和室７ｂとの間が通気可能となっている。つまり、ドアＤにより開口部が構成されている。
【００５１】
ＤＫ２と６畳和室７ａとの間の襖Ｆ及びＤＫ２と４畳半和室７ｂとの間のドアＤは、アンダーカットやガラリ或いは枠材との隙間の有効開口面積（圧力差９．８Ｐａが生じた時に通過する風量）が１００ｍ３／時以上の通気性を有するものであるのがよい。
【００５２】
この単位住宅１において、北側外壁Ｗの排気用換気扇１１、北側外壁Ｗと対向関係にある南側外壁Ｗの給気用換気扇１４、北側外壁Ｗと交差関係にある東側外壁Ｗの給気用換気扇１４、並びに、ＤＫ２と６畳和室７ａとの間の襖Ｆ及びＤＫ２と４畳半和室７ｂとの間のドアＤにより、強制給気及び強制排気の第１種換気方式による共同住宅用２４時間換気システムが構成されている。
【００５３】
次に、この共同住宅用２４時間換気システムによる換気について説明する。
【００５４】
この共同住宅用２４時間換気システムでは、ＤＫ２の北側外壁Ｗに設けられた排気用換気扇１１によって屋内の空気が１時間当たり３０〜８０ｍ３の割合で外に排出される。
【００５５】
一方、空気が排出されて減圧されるので、ＤＫ２には、ＤＫ２と６畳和室７ａとの間の襖Ｆの枠材との隙間及びＤＫ２と４畳半和室７ｂとの間のドアＤのアンダーカットやガラリを介してそれらの空気が流入する。このとき、それらの襖ＦやドアＤが開いた状態であれば、６畳和室７ａ或いは４畳半和室７ｂの空気がそのままＤＫ２に流入する。
【００５６】
そして、６畳和室７ａには南側外壁Ｗに設けられた給気用換気扇１４から、及び、４畳半畳和室７ｂには東側外壁Ｗに設けられた給気用換気扇１４からそれぞれ屋外の新気が取り入れられる。
【００５７】
ここで、いずれの給気用換気扇１４の給気風量も排気用換気扇１１の排気風量の半分であるので、給気総風量と排気総風量は一致している。
【００５８】
また、次式より換気回数０．５回／時を実現するために必要な排気用換気扇１１及び給気用換気扇１４の風量を試算してみる。
【００５９】
換気回数（回／時）＝有効換気量率×排気用換気扇の換気量（ｍ３／時）÷住宅の気積（ｍ３）
有効換気量率は、熱交換型換気ユニット以外は１．０である。また、上記単位住宅１の床面積４０ｍ２、天井高２．４ｍとすると住宅の気積は９６ｍ３である。従って、換気回数０．５回／時を実現するためには、排気用換気扇１１を排気風量４８ｍ３／時のものとし、給気用換気扇１４を給気風量２４ｍ３／時のものとすればよい。共同住宅の隙間を考慮すれば、給気用換気扇１４の給気総風量が排気用換気扇１１の排気風量の上下２０％であっても許容範囲である。
【００６０】
なお、この共同住宅は、相当隙間面積が７ｃｍ２／ｍ２を超えており、気密性能が低く、そのため、ＤＫ２の空気が排出されることによる減圧作用が隙間から空気が流入することにより緩和されるので、このように給気用換気扇１４により強制的に６畳和室７ａ及び４畳半和室７ｂに給気を行う必要がある。
【００６１】
以上のように、上記の共同住宅用２４時間換気システムによれば、天井裏にダクト等を設けるのではなく、北側外壁Ｗの排気用換気扇１１、北側外壁Ｗと対向関係にある南側外壁Ｗの給気用換気扇１４、北側外壁Ｗと交差関係にある東側外壁Ｗの給気用換気扇１４、並びに、襖Ｆ及び引き戸Ｓという簡単な構成であるので、大がかりな装置が必要でなく安価である。
【００６２】
その他の作用効果は、実施形態１と同一である。
【００６３】
（実施形態３）
図３は、実施形態３の共同住宅の一戸（単位住宅１）の間取りを示す。この共同住宅は、気密性能の指標であるＣ値、つまり相当隙間面積が７ｃｍ２／ｍ２を超えており、各戸に本発明の実施形態３に係る共同住宅用２４時間換気システムが設けられたものである。以下、図３において、上側を北として説明する。また、実施形態１と同一名称のものは同一符号で示す。
【００６４】
この単位住宅１は、全体が南北に長い略長方形状である住居専有面積６０ｍ２以下の２ＤＫであり、北西に玄関８を含むホール１５、浴室４、トイレ５及び洗面所６、南西に洋室（居室）３、北東にＤＫ（家事室）２、南東に和室（居室）７がそれぞれ配設されている。
【００６５】
ＤＫ２には、北側にコンロ台９ａ及びシンク１０が設けられている。コンロ台９ａの上方には図示しないレンジフードが設けられている。また、シンク１０の斜め前の北側外壁Ｗには窓Ｏが設けられていると共に、その窓Ｏの西側に隣接して排気用換気扇１１が設けられている。この排気用換気扇１１は、排気風量が１時間当たり３０〜８０ｍ３のものであり、２４時間常時運転される。また、この排気用換気扇１１は、レンジフードとは独立して運転される。
【００６６】
洋室３には、南側外壁Ｗに掃き出しの窓Ｏが設けられていると共に、その掃き出し窓Ｏの西側に隣接して給気用換気扇１４が設けられている。この給気用換気扇１４は、給気風量が排気用換気扇１１の排気風量の半分のものであり、２４時間常時運転される。なお、洋室３の南側にはベランダ１３が設けられており、掃き出し窓Ｏがベランダ１３への出入り口となっている。
【００６７】
和室７には、南側外壁Ｗに窓Ｏが設けられていると共に、その窓Ｏの西側に隣接して給気用換気扇１４が設けられている。給気用換気扇１４は、給気風量が排気用換気扇１１の排気風量の半分のものであり、２４時間常時運転される。
【００６８】
浴室４、トイレ５及び洗面所６のそれぞれには、使用時に換気を行う図示しない局所換気扇が設けられている。これらの局所換気扇は、排気用換気扇１１とは独立して運転される。
【００６９】
ＤＫ２とホール１５との間仕切りとして、アンダーカット或いはガラリの付いたドア（室内建具）Ｄが設けられている。このドアＤのアンダーカット或いはガラリにより、ＤＫ２とホール１５の間が通気可能となっている。つまり、ドアＤにより開口部が構成されている。
【００７０】
ＤＫ２と和室７との間仕切りとして、引き戸（室内建具）Ｓが設けられている。この引き戸Ｓの枠材との隙間により、ＤＫ２と和室７との間が通気可能となっている。つまり、引き戸Ｓにより開口部が構成されている。
【００７１】
洋室３とホール１５との間仕切りとして、アンダーカット或いはガラリの付いたドア（室内建具）Ｄが設けられている。このドアＤのアンダーカット或いはガラリにより、洋室３とホール１５との間が通気可能となっている。つまり、ドアＤにより開口部が構成されている。
【００７２】
ＤＫ２とホール１５との間のドアＤ、ＤＫ２と和室７との間の引き戸Ｓ及び洋室３とホール１５との間のドアＤは、それぞれアンダーカットやガラリ或いは枠材との隙間の有効開口面積（圧力差９．８Ｐａが生じた時に通過する風量）が１００ｍ３／時以上の通気性を有するものであるのがよい。
【００７３】
この単位住宅１において、北側外壁Ｗの排気用換気扇１１、北側外壁Ｗと対向関係にある南側外壁Ｗの２つの給気用換気扇１４、並びに、ＤＫ２とホール１５との間のドアＤ、ＤＫ２と和室７との間の引き戸Ｓ及び洋室３とホール１５との間のドアＤにより、強制給気及び強制排気の第１種換気方式による共同住宅用２４時間換気システムが構成されている。
【００７４】
次に、この共同住宅用２４時間換気システムによる換気について説明する。
【００７５】
この共同住宅用２４時間換気システムでは、ＤＫ２の北側外壁Ｗに設けられた排気用換気扇１１によって屋内の空気が１時間当たり３０〜８０ｍ３の割合で外に排出される。
【００７６】
一方、空気が排出されて減圧されるので、ＤＫ２には、ＤＫ２とホール１５との間のドアＤ及び洋室３とホール１５との間のドアＤのアンダーカット或いはガラリを介してホール１５を経由して洋室３の空気が流入する。また、ＤＫ２には、ＤＫ２と和室７との間の引き戸Ｓの枠材との隙間を介して和室７の空気が流入する。このとき、それらのドアＤや引き戸Ｓが開いた状態であれば、洋室３或いは和室７の空気がそのままＤＫ２に流入する。
【００７７】
そして、洋室３及び和室７にはそれぞれ南側外壁Ｗに設けられた給気用換気扇１４から、屋外の新気が取り入れられる。
【００７８】
ここで、いずれの給気用換気扇１４の給気風量も排気用換気扇１１の排気風量の半分であるので、給気総風量と排気総風量は一致している。
【００７９】
また、換気回数０．５回／時を実現するために必要な排気用換気扇１１及び給気用換気扇１４の風量を実施形態２と同様に試算してみる。上記単位住宅１の床面積５０ｍ２、天井高２．４ｍとすると住宅の気積は１２０ｍ３である。従って、換気回数０．５回／時を実現するためには、排気用換気扇１１を排気風量６０ｍ３／時のものとし、給気用換気扇１４を給気風量３０ｍ３／時のものとすればよい。
【００８０】
なお、この共同住宅は、相当隙間面積が７ｃｍ２／ｍ２を超えており、気密性能が低く、そのため、ＤＫ２の空気が排出されることによる減圧作用が隙間から空気が流入することにより緩和されるので、このように給気用換気扇１４により強制的に洋室３及び和室７に給気を行う必要がある。
【００８１】
以上のように、上記の共同住宅用２４時間換気システムによれば、天井裏にダクト等を設けるのではなく、北側外壁Ｗの排気用換気扇１１、北側外壁Ｗと対向関係にある南側外壁Ｗの２つの給気用換気扇１４、並びに、ＤＫ２とホール１５との間のドアＤ、ＤＫ２と和室７との間の引き戸Ｓ及び洋室３とホール１５との間のドアＤという簡単な構成であるので、大がかりな装置が必要でなく安価である。
【００８２】
その他の作用効果は、実施形態１と同一である。
【００８３】
（その他の実施形態）
実施形態１及び３では、空気のショートサーキットを起こさないように、排気用換気扇１１が設けられた北側外壁Ｗに対向関係にある南側外壁Ｗに給気用レジスタ１２や給気用換気扇１４が設けられているが、実施形態２の４畳半和室７ｂのように、排気用換気扇１１が設けられた外壁Ｗに対向関係にある外壁Ｗが押入等により室内に面する壁面がとれない場合には、排気用換気扇１１が設けられた外壁Ｗに交差関係にある外壁Ｗに給気用レジスタ１２や給気用換気扇１４が設けられていてもよい。
【００８４】
また、実施形態１〜３では、ＤＫ２の北側外壁Ｗに排気用換気扇１１が設けられているが、キッチンの吊戸等により取付場所が確保できないときには、例えば、交差関係にある隣接の西側或いは東側外壁や、玄関上側の垂れ壁等に取り付けてもよい。
【００８５】
また、実施形態３において、ＤＫ２の排気用換気扇１１に加えてもう一台排気用換気扇を設ける場合、ホール１５の玄関８に設けるようにすればよい。
【００８６】
【発明の効果】
以上説明したように、本発明によれば、天井裏に排気ファンやダクトを設けるものではないので、近隣への騒音の問題を生じることがなく、また、簡単な構成であるので、大がかりな装置が必要でなく安価である。
【図面の簡単な説明】
【図１】実施形態１の共同住宅の単位住宅の間取りを示す平面図である。
【図２】実施形態２の共同住宅の単位住宅の間取りを示す平面図である。
【図３】実施形態３の共同住宅の単位住宅の間取りを示す平面図である。
【符号の説明】
１  単位住宅
２  ダイニングキッチン（ＤＫ）
３  洋室
４  浴室
５  トイレ
６  洗面所
７  和室
７ａ  ６畳和室
７ｂ  ４畳半和室
８  玄関
８ａ  玄関ドア
９  コンロ
９ａ  コンロ台
１０  シンク
１１  排気用換気扇
１２  給気用レジスタ
１３  ベランダ
１４  給気用換気扇
１５  ホール
Ｄ  ドア
Ｆ  襖
Ｏ  窓
Ｓ  引き戸
Ｗ  外壁
【図１】
2004360981.tif 000003
【図２】
2004360981.tif 000004
【図３】
2004360981.tif 000005